(57)【要約】【課題】一般的に携帯情報端末は、ネジなどの固着具を用いて組み立てられていたため、組み立てる際に多くの工数を必要とし、作業能率が悪いと共に部品点数が増え、それだけ価格が上昇することになる。そのため下部カバーの開口部に上部カバーが嵌合する嵌合縁部を形成して容易に組み立てられるようにしたものが提案されているが、力が加わると係合が外れる可能性があり、また、カバーにスリットを加工する必要があって、それだけ価格が上昇する。【解決手段】背面に回路基板を配した液晶表示部を有する携帯情報端末において、液晶表示部側カバーと回路基板側カバーを二次元方向で位置規制し、側部カバーを位置規制した液晶表示部側カバーと回路基板側カバーに嵌合させて三次元方向にロックするようにした。【選択図】　　　図３
2004030476.tif 000002
【特許請求の範囲】
【請求項１】
液晶表示部側カバーと回路基板側カバーと側部カバーとで構成される筐体を有する携帯情報端末であって、
前記液晶表示部側カバーと回路基板側カバーを二次元方向で位置規制し、前記側部カバーを前記位置規制した液晶表示部側カバーと回路基板側カバーに嵌合させて三次元方向にロックするようにしたことを特徴とする携帯情報端末。
【請求項２】
前記液晶表示部側カバーと回路基板側カバーを押圧力により嵌合できるようにしたことを特徴とする請求項１に記載した携帯情報端末。
【請求項３】
前記側部カバーによるロックは、側部カバーに設けた嵌合爪によって前記液晶表示部側カバーと回路基板側カバーを嵌合させる方向におこなうことを特徴とする請求項１に記載した携帯情報端末。
【発明の詳細な説明】
【０００１】
【発明の属する技術分野】
本発明は、手帳並みの大きさの個人向け携帯情報端末に関し、特に、ネジなどで止める部分を極力少なくして組み立てを容易にし、安価に提供できる構造を有した携帯情報端末に関するものである。
【０００２】
【従来の技術】
現在の個人向け携帯情報端末（ＰＤＡ：Ｐｅｒｓｏｎａｌ　Ｄｉｇｉｔａｌ　Ａｓｓｉｓｔａｎｔ）は、手帳並の大きさと重量でありながら、アドレス帳、スケジュール表、仕事関係のメモやファイルなど、種々のファイルの閲覧や作成の機能を持ち、さらにビデオや画像ファイルの閲覧機能、音楽プレイヤー機能、携帯電話などと連携させて電子メールやインターネット上のデータなどを閲覧する通信機能など、多くの機能を有するものが多くなっている。そしてこういった携帯情報端末は、低価格化が要望されると共に、常時胸ポケットやハンドバックなどに収容して持ち歩けるよう、小型化、薄型化が要望されている。
【０００３】
しかしながら従来のこういった携帯情報端末は、一般的にネジなどの固着具を用いて組み立てられていたため、当然のことながら組み立てる際に多くの工数を必要とし、作業能率が悪いと共に部品点数が増え、それだけ価格が上昇することになる。そのため例えば特開２００２−８４０７７公報には、上面が開口された下部ケースと、前記下部ケースの開口部に着脱自在に取り付けられる上部ケースを備えた電子機器の筐体構造において、下部ケースの開口部に上部ケースが嵌合する嵌合縁部を形成し、かつ、前記嵌合縁部または前記上部ケースの一方に複数の係合突起を、また他方に前記係合突起が係合する係合孔を形成し、前記係合突起または係合孔が形成された下部ケースの側板に、前記係合突起または係合孔の両側に位置し、かつ前記嵌合縁部の上縁から下方へ向けて複数のスリットを形成してこのスリットを内側へ弾性変形させることで、上部ケースを容易に組み立てられるようにしたものが示されている。
【０００４】
【発明が解決しようとする課題】
しかしながら、この特開２００２−８４０７７公報に示された構造では、上部ケースと下部ケースの結合に際してスリットを弾性変形させているが、何らかの力がこのスリット部に加わると上部ケースと下部ケースの係合が外れる可能性があり、また、ケースにスリットを加工する必要があって、それだけ価格が上昇する。
【０００５】
上述の事情に鑑み本発明は、ネジなどを用いない簡単な構成で組み立てが容易であり、かつ、組み立て後は容易に係合が外れないような構造の筐体を有した携帯情報端末を提供することが課題である。
【０００６】
【課題を解決するための手段】
そのため本発明においては、請求項１に記載したように、
液晶表示部側カバーと回路基板側カバーと側部カバーとで構成される筐体を有する携帯情報端末であって、
前記液晶表示部側カバーと回路基板側カバーを二次元方向で位置規制し、前記側部カバーを前記位置規制した液晶表示部側カバーと回路基板側カバーに嵌合させて三次元方向にロックするようにしたことを特徴とする。
【０００７】
このように携帯情報端末の筐体を構成することにより、位置規制された液晶表示部側カバーと回路基板側カバーは側部カバーによってロックされ、ネジなどを用いない簡単な構成で組み立てが簡単であるから低コストで構成でき、しかも組み立て後は容易に係合が外れない筐体を提供することができる。
【０００８】
そして液晶表示部側カバーと回路基板側カバーは、請求項２に記載したように、
前記液晶表示部側カバーと回路基板側カバーを押圧力により嵌合できるようにしたことを特徴とする。
【０００９】
このように、液晶表示部側カバーと回路基板側カバーを押圧力だけで嵌合できるようにすることで、簡単に両者を結合でき、組み立てを非常に簡単におこなうことができる。
【００１０】
そして側部カバーは、請求項３に記載したように、
前記側部カバーによるロックは、側部カバーに設けた嵌合爪によって前記液晶表示部側カバーと回路基板側カバーを嵌合させる方向におこなうことを特徴とする。
【００１１】
このように、側部カバーによって液晶表示部側カバーと回路基板側カバーを嵌合させる方向にロックすることにより、液晶表示部側カバーと回路基板側カバーの嵌合はより強固になり、簡単に組み立てられる上に簡単には外れない構造とすることができる。
【００１２】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１３】
図１は本発明になる携帯情報端末の一実施形態を示した概略斜視図、図２は同じく背面から見た斜視図、図３は本発明の一実施形態を示した携帯情報端末における回路基板側カバーと液晶表示部側カバーと側部カバーの結合を説明するための図、図４は本発明の一実施形態の携帯情報端末における液晶表示部側カバーの図、図５は本発明の一実施形態を示した携帯情報端末における回路基板側カバーの図、図６は本発明の一実施形態を示した携帯情報端末における各ユニットの組み立て図である。
【００１４】
図中１は本発明に係る携帯情報端末、２は液晶表示部、３は電源釦、４は選択指示結果を一つ前の状態に戻す復帰用釦、５は液晶表示部２に表示された項目または機能の選択釦、６はこれら各釦部分のプラスチック製の側部カバー、７は選択釦５の誤動作防止用に側部カバー上に設けたハウジング突起、８、９、１０、１１はそれぞれの操作釦の操作方向、１２はアルミなどで形成した上ケース、１３は同じくアルミなどで形成した下ケース、１４はプラスチック製の上カバー、１５は同じくプラスチック製の下カバー、１６はコンパクトフラッシュ（登録商標名）等のメモリーカード、カード型モデム等の通信端末、またはマイクロハードディスクなど、各種のカード型機器を収納する収納スロットの差込口、１７は操作用のスタイラスペンなどの差込口、１８は散状突起若しくは凹部、１９は回路基板、２０は電池であり、図６に示すようにこのうち上カバー１４が液晶表示部２側のカバーを、下カバー１５が回路基板１９側のカバーを構成する。図３に示す３０、３１、３２、３３、３４、３５は側部カバー６に設けた係合用爪、図４に示す４０、４１、４２は上カバー１４に設けた係合用爪、４３、４４、４５は上カバー１４に設けた係止部、４６、４７、４８、４９は側部カバー６に設けた係合用爪を受ける孔、５０は下カバー１５に設けた係合用爪、５１は上カバー１４に設けた係止部と当接する下カバー１５に設けた凸部、５２、５３は下カバー１５に設けた係合用爪、５４、５５は上カバー１４に設けた係止部と当接する下カバー１５に設けた段部、５６は下カバー１５の側壁、５７、５８、５９は側部カバー６に設けた係合用爪を受ける孔である。
【００１５】
本発明に係る携帯情報端末１は、その一実施例の外観を図１に示したように、３．５から４インチ程度の液晶表示部２、内部に収納した液晶表示部２や回路基板１９、電池２０などを保護する上ケース１２、下ケース１３、下カバー１５、他の側面に対して隆起して携帯情報端末１を保持したとき、その隆起によって操作釦類を配置した側であることを認識させる側部カバー６、また、図２に示したようにその側部カバー６とは逆側のサイドに散状突起、若しくは凹部を有した上カバー１４などで構成され、例えば左手で保持したとき、図２に示した上カバー１４の散状突起、若しくは凹部１８の存在と、図１に示した他の側面に対して隆起した側部カバー６の存在とによってその表裏、上下を間違えることなく液晶表示部２を上にして保持することができる。また、保持したときに親指を操作釦類３、４、５の所に容易に位置させることができ、そのため、本発明に係る携帯情報端末１は、電話中などにハンドバックやポケットから取り出しても、表裏を間違えることなく、かつ、片手のみで内容の閲覧が可能である。
【００１６】
そして本発明の携帯情報端末１は、図６の組み立て図に示したように、液晶表示部２の背面に回路基板１９を配し、液晶表示部２側をプラスチック製の上カバー１４とアルミなどで形成した上ケース１２で、回路基板１９側を電池２０の電池収納部を有したプラスチック製の下カバー１５とアルミなどで形成した下ケース１３で覆い、さらに側部カバー６を結合して構成される。そしてこれら上カバー１４と下カバー１５は、液晶表示部２と回路基板１９を収容した状態で位置規制して嵌合できるように構成され、側部カバー６によって、これら上カバー１４と下カバー１５を三次元方向にロックできるようになっている。
【００１７】
このうち液晶表示部側を覆う液晶表示部側カバーとしての上カバー１４は、図４（Ｂ）に背面から見た図を、図４（Ａ）にこの図４（Ｂ）の背面から見た図における左側から見た側面図を、図４（Ｃ）に同じく右側から見た側面図を示したような形状をしている。そして図４（Ｂ）における左側の側壁の縁部、及び右側下方の側壁の縁部に、４０、４１、４２で示した係合用爪と下カバー１５における側壁を受ける係止部４３、４４、４５が設けられている。また、図４（Ｃ）の右側から見た側面には、サイドカバー６に設けられている係合用爪が挿入される孔４６、４７、４８、４９が設けられている。
【００１８】
一方、この上カバー１４と組み合わせる回路基板１９側の下カバー１５は、図５（Ｂ）に背面から見た図を、図５（Ａ）にこの図５（Ｂ）の背面から見た図における左側から見た側面図を、図５（Ｃ）に同じく右側から見た側面図を示したような形状をしている。そして図５（Ｂ）における左側下方の側壁の縁部に、前記図４（Ｂ）に４２で示した係合用爪と係合する爪５０が、そして同じく側壁を受ける係止部４５に対応して側壁に凸部５１が設けられている。また、図５（Ｂ）における右側壁の縁部に、前記図４（Ｂ）に４０、４１で示した係合用爪と係合する爪５２、５３が、爪５２の場合は図５（Ｃ）に示したように下方に側壁との間にスリットを有し、また爪５３の場合は両側にスリットを有して設けられている。そして前記図４（Ｂ）に４３、４４で示した係止部に対しては、側壁５６より一段内側に設けられた段部５４、５５が当接するようになっている。また図５（Ａ）の左側から見た側面には、サイドカバー６に設けられている係合用爪が挿入される孔５７、５８、５９が設けられている。
【００１９】
又側部カバー６は、図３の（Ｂ）に正面図を、（Ｃ）に側面図を、（Ｄ）に背面の図を示したような形状をしており、図３（Ｄ）における左側には、上カバー１４（図３（Ｅ）に示す）に設けられた孔４６、４７、４８、４９に挿入する係合用爪３０、３１、３２、３３が設けられ、同じく右側には、下カバー１５（図３（Ａ）に示す）に設けられた孔５７、５８、５９に挿入するための係合用爪３４、３２、３５が設けられている。
【００２０】
そしてこのように構成した上カバー１４に下カバー１５をかぶせる場合、まず前記図４（Ｂ）に示した係合用爪４０、４１に図５（Ｂ）、（Ｃ）に示した爪５２、５３を係合させると共に、図５（Ｂ）、（Ｃ）に示した段部５４、５５を図４（Ｂ）に示した係止部４３、４４に当接させ、図５（Ａ）、（Ｂ）における爪５０、凸部５１側を押圧すると、爪５０が図４（Ｂ）に示した係合用爪４２とすると共に凸部５１が図４（Ｂ）に示した係止部４５に当接して位置規制され、嵌合する。しかしこの状態では、上カバー１４の図４（Ｂ）の右上部、及び図５（Ｂ）の左上部における係合が無く、上カバー１４と下カバー１５の嵌合は簡単に外れる。
【００２１】
そしてこの状態で、側部カバー６を上カバー１４と下カバー１５が嵌合した側部にはめ込む。これは、まず図３（Ｄ）に示した係合用爪３３と３５を上カバー１４における孔４９と下カバー１５における孔５９に差し込み、次いで図３（Ｂ）における上部を押し込むと、図３（Ｄ）に示した係合用爪３２が上カバー１４と下カバー１５の孔４８、５８に係合し、係合用爪３０、３１が上カバー１４の４６、４７に、係合用爪３４が下カバー１５の孔５７に係合する。そして係合用爪３０、３１、３４は、上カバー１４と下カバー１５を互いに嵌合させる方向に爪が設けられ、そのため上カバー１４と下カバー１５はこの側部カバー６によってロックされ、容易に外れないようになる。
【００２２】
すなわち本発明においては、液晶表示部側カバーである上カバー１４と回路基板側カバーである下カバー１５を二次元方向で位置規制し、側部カバー６をこの上カバー１４と下カバー１５に嵌合させて三次元方向にロックするようにしたものである。しかもその側部カバー６によるロックは、前記したように上カバー１４と下カバー１５を互いに嵌合させる方向に働くから、非常に簡単な構成であるにも係わらず、嵌合した上カバー１４と下カバー１５と側部カバー６は、簡単に分解できないようになる。そのため前記図６の組み立て図に示したように、上カバー１４と下カバー１５の間に液晶表示部２と回路基板１９を組み合わせたものを組み込み、上カバー１４と下カバー１５でカバーして側部カバー６でロックをかけることにより、液晶表示部２と回路基板１９をネジなどの部材を全く用いずに強固にカバーする筐体とすることができる。
【００２３】
なお以上の説明では、上カバー１４と下カバー１５を位置規制するため、係合用爪とそれに対応した孔を設けると説明したが、例えば図４（Ｂ）における上カバー１４の右側と図５（Ｂ）における下カバー１５の左側は、側部カバー６によってロックが行われるから係合用爪４２、５０などを用いずに単に位置規制のみを行うようにしても良く、またそれぞれのカバーの逆側は、側部カバー６を嵌合したときに外れないような構造ならどのようなものでも良い。
【００２４】
以上記載の如く、液晶表示部側カバーと回路基板側カバーを二次元方向で位置規制し、側部カバーを前記位置規制した液晶表示部側カバーと回路基板側カバーに嵌合させて三次元方向にロックすることにより、組み立てが簡単で、しかも組み立て後は容易に係合が外れない筐体を提供することができる。
【００２５】
そして液晶表示部側カバーと回路基板側カバーは、押圧力により嵌合できるようにしたことにより、簡単に両者を結合でき、組み立てを非常に簡単におこなうことができる。
【００２６】
また、側部カバーによって液晶表示部側カバーと回路基板側カバーを嵌合させる方向にロックすることにより、液晶表示部側カバーと回路基板側カバーの嵌合はより強固になり、簡単に組み立てられる上に簡単には外れない構造とすることができる。
【００２７】
【発明の効果】
以上記載の如く本発明によれば、ネジなどを用いない簡単な構成で組み立てが容易であるため低コストで構成でき、かつ、組み立て後は容易に係合が外れないような構造の筐体を有した携帯情報端末を提供することができる。
【図面の簡単な説明】
【図１】本発明の一実施形態を示した携帯情報端末の概略斜視図である。
【図２】本発明の一実施形態を示した携帯情報端末を背面から見た斜視図である。
【図３】本発明の一実施形態を示した携帯情報端末における回路基板側カバーと液晶表示部側カバーと側部カバーの結合を説明するための図である。
【図４】本発明の一実施形態の携帯情報端末における液晶表示部側カバーの図である。
【図５】本発明の一実施形態を示した携帯情報端末における回路基板側カバーの図である。
【図６】本発明の一実施形態を示した携帯情報端末における各ユニットの組み立て図である。
【符号の説明】
６　側部カバー
１４　上カバー
１５　下カバー
３０、３１、３２、３３、３４、３５、５０　係合用爪
４６、４７、４８、４９　孔
５１　凸部
５７、５８、５９　孔
【図１】
2004030476.tif 000003
【図２】
2004030476.tif 000004
【図３】
2004030476.tif 000005
【図４】
2004030476.tif 000006
【図５】
2004030476.tif 000007
【図６】
2004030476.tif 000008